【手続補正書】
【提出日】平成25年9月9日(2013.9.9)
【手続補正１】
【補正対象書類名】明細書
【補正対象項目名】０００９
【補正方法】変更
【補正の内容】
【０００９】
繰り返しパターンで配置された複数のコア部材と、前記複数のコア部材上に設けられた複数のアクチュエータ取付け位置と、前記複数のアクチュエータ取付け位置と係合する少なくとも１つのアクチュエータとを含むモーフィングパネル構造のための適応型構造コア。
【手続補正２】
【補正対象書類名】明細書
【補正対象項目名】００１０
【補正方法】変更
【補正の内容】
【００１０】
前記複数のコア部材が平面的な繰り返しパターンで配置されている、前記適応型構造コア。
【手続補正３】
【補正対象書類名】明細書
【補正対象項目名】００１１
【補正方法】変更
【補正の内容】
【００１１】
前記繰り返しパターンがひし形パターンを含む、前記適応型構造コア。
【手続補正４】
【補正対象書類名】明細書
【補正対象項目名】００１２
【補正方法】変更
【補正の内容】
【００１２】
前記繰り返しパターンが平行四辺形パターンを含む、前記適応型構造コア。
【手続補正５】
【補正対象書類名】明細書
【補正対象項目名】００１３
【補正方法】変更
【補正の内容】
【００１３】
前記複数のコア部材が複数のセル壁を有する複数のコアセルを規定する、前記適応型構造コア。
【手続補正６】
【補正対象書類名】明細書
【補正対象項目名】００１４
【補正方法】変更
【補正の内容】
【００１４】
前記複数のアクチュエータ取付け位置が、前記コアセルの各々の前記複数のセル壁の対向する壁の上に設けられた一対のアクチュエータ取付け位置を含む、前記適応型構造コア。
【手続補正７】
【補正対象書類名】明細書
【補正対象項目名】００１５
【補正方法】変更
【補正の内容】
【００１５】
前記複数のアクチュエータ取付け位置の各々がアクチュエータ取付け開口部を含む、前記適応型構造コア。
【手続補正８】
【補正対象書類名】明細書
【補正対象項目名】００１６
【補正方法】変更
【補正の内容】
【００１６】
前記複数のコアセルの各々の前記複数のセル壁の対向する壁に取付けられた複数のアクチュエータをさらに含む、前記適応型構造コア。
【手続補正９】
【補正対象書類名】明細書
【補正対象項目名】００１７
【補正方法】変更
【補正の内容】
【００１７】
前記複数のアクチュエータの各々が協調的な方法で前記セル壁に力を及ぼすように構成された、前記適応型構造コア。
【手続補正１０】
【補正対象書類名】明細書
【補正対象項目名】００１８
【補正方法】変更
【補正の内容】
【００１８】
前記複数のアクチュエータの各々が拮抗的な方法で前記セル壁に力を及ぼすように構成された、前記適応型構造コア。
【手続補正１１】
【補正対象書類名】明細書
【補正対象項目名】００１９
【補正方法】変更
【補正の内容】
【００１９】
前記複数のコア部材が複数の金属コア部材を含む、前記適応型構造コア。
【手続補正１２】
【補正対象書類名】明細書
【補正対象項目名】００２０
【補正方法】変更
【補正の内容】
【００２０】
前記複数のコア部材が複数の複合コア部材を含む、前記適応型構造コア。
【手続補正１３】
【補正対象書類名】明細書
【補正対象項目名】００２１
【補正方法】変更
【補正の内容】
【００２１】
各々がセル空間を有するコアセルの繰り返しパターンで配置された複数のコア部材と、前記セル空間内の前記複数のコア部材上に設けられた複数のアクチュエータ取付け位置と、前記セル空間内に設けられ、前期複数のアクチュエータ取付け位置の１番目の対と係合する第１アクチュエータと、前記セル空間内に設けられ、前期複数のアクチュエータ取付け位置の２番目の対と係合する第２アクチュエータとを含むモーフィングパネル構造のための他の適応型構造コア。
【手続補正１４】
【補正対象書類名】明細書
【補正対象項目名】００２２
【補正方法】変更
【補正の内容】
【００２２】
前記第１アクチュエータ及び前記第２アクチュエータが前記セル空間内で対角線方向に配置されている、前記他の適応型構造コア。
【手続補正１５】
【補正対象書類名】明細書
【補正対象項目名】００２３
【補正方法】変更
【補正の内容】
【００２３】
前記第１アクチュエータ及び前記第２アクチュエータが前記セル空間内で互いに交差する位置関係で配置されている、前記他の適応型構造コア。
【手続補正１６】
【補正対象書類名】明細書
【補正対象項目名】００２４
【補正方法】変更
【補正の内容】
【００２４】
前記複数のコア部材が交差する平面内の繰り返しパターンで配置されている、前記他の適応型構造コア。
【手続補正１７】
【補正対象書類名】明細書
【補正対象項目名】００２５
【補正方法】変更
【補正の内容】
【００２５】
複数のコア部材を提供するステップと、前記複数のコア部材を繰り返しパターンで配置するステップと、前記複数のコア部材上に複数の取付け位置を設けるステップとを含む適応型構造コアの方法。
【手続補正１８】
【補正対象書類名】明細書
【補正対象項目名】００２６
【補正方法】変更
【補正の内容】
【００２６】
前記複数のコア部材の繰り返しパターンでの前記配列が、複数のセル壁を有する複数のコアセルへの前記複数のコア部材の配列を含み、前記複数のコア 部材上への複数のアクチュエータ取付け位置の設定が、それぞれ前記複数のセル壁の対向する壁に取付け位置の設定を含む、前記適応型構造コアの方法。
【手続補正１９】
【補正対象書類名】明細書
【補正対象項目名】００２７
【補正方法】変更
【補正の内容】
【００２７】
前記複数のコアセルの各々に一対のアクチュエータを提供するステップと、前記取付け位置に前記一対のアクチュエータを取付けるステップとをさらに含む、前記適応型構造コアの方法。
【手続補正２０】
【補正対象書類名】明細書
【補正対象項目名】００２８
【補正方法】変更
【補正の内容】
【００２８】
前記複数のコア部材上に少なくとも１つの複合表面板をさらに含む、前記適応型構造コアの方法。
【手続補正２１】
【補正対象書類名】明細書
【補正対象項目名】００２９
【補正方法】変更
【補正の内容】
【００２９】
各々がセル空間及び前記セル空間に向かい合う複数のセル壁を有するコアセルの平面的な繰り返しパターンで配置された複数の交差するコア部材と、前記セル空間内の前記複数のコア部材に設けられた複数のアクチュエータ取付け開口部と、前記セル空間に対角線上に設けられ、前記複数のアクチュエータ取付け位置の１番目の対に係合する第１アクチュエータと、前記セル空間に対角線上に設けられ、前記複数のアクチュエータ取付け位置の２番目の対に係合する第２アクチュエータと、協調的な方法及び拮抗的な方法から選択したいずれかの方法で前記セル壁に力を及ぼすように適応される、各々の前記第１アクチュエータ及び前記第２アクチュエータとを含む、モーフィングパネル構造のためのさらに他の適応型構造コア。
【手続補正２２】
【補正対象書類名】明細書
【補正対象項目名】００３０
【補正方法】変更
【補正の内容】
【００３０】
複数のコア部材を提供するステップと、前記複数のコア部材を繰り返しパターンで配置することにより、適応型構造コアを形成するステップと、前記複数のコア部材上に複数のアクチュエータ取付け位置を設けるステップと、複数のアクチュエータを提供するステップと、前記アクチュエータを前記コア部材上の前記アクチュエータ取付け位置に取付けるステップと、前記複数のコア部材上に少なくとも１つの複合表面板を提供するステップと、協調的な方法で前記アクチュエータを操作することにより、前記適応型構造コアの形状を変更するステップと、拮抗的な方法で前記アクチュエータを操作することにより、前記適応型構造コアを強化するステップとを含む、他の適応型構造コアの方法。
【手続補正２３】
【補正対象書類名】明細書
【補正対象項目名】００３１
【補正方法】変更
【補正の内容】
【００３１】
複数のコアセルを有する適応型構造コアを提供するステップ、前記適応型構造コアの前記コアセルに少なくとも１つのアクチュエータを提供するステップ、前記少なくとも１つのアクチュエータの作動によって前記適応型構造コアを適応させるステップとを含む、モーフィングパネル構造の適応型構造コアの方法。
【手続補正２４】
【補正対象書類名】明細書
【補正対象項目名】００３２
【補正方法】変更
【補正の内容】
【００３２】
前記少なくとも１つのアクチュエータの作動によって前記適応型構造コアを適応させる前記ステップが、前記少なくとも１つのアクチュエータの拮抗的な方法での作動によって前記コアセルを強化するステップを含む、前記モーフィングパネル構造の適応型構造コアの方法。
【手続補正２５】
【補正対象書類名】明細書
【補正対象項目名】００３３
【補正方法】変更
【補正の内容】
【００３３】
前記少なくとも１つのアクチュエータの作動によって前記適応型構造コアを適応させる前記ステップが、前記少なくとも１つのアクチュエータの協調的な方法での作動によって前記コアセルの形状を変更するステップを含む、前記モーフィングパネル構造の適応型構造コアの方法。
【手続補正２６】
【補正対象書類名】明細書
【補正対象項目名】００３４
【補正方法】変更
【補正の内容】
【００３４】
複数のコアセルを有する適応型構造コアを提供する前記ステップが、複数の交差するコア部材を有する適応型構造コアを含み、前記コアセルが前記コア部材によって規定される、前記モーフィングパネル構造の適応型構造コアの方法。
【手続補正２７】
【補正対象書類名】明細書
【補正対象項目名】００３５
【補正方法】変更
【補正の内容】
【００３５】
前記適応型構造コアの前記コアセルに少なくとも１つのアクチュエータを提供する前記ステップが、前記コア部材に少なくとも１つのアクチュエータを取付けるステップを含む、前記モーフィングパネル構造の適応型構造コアの方法。
【手続補正２８】
【補正対象書類名】明細書
【補正対象項目名】００３６
【補正方法】変更
【補正の内容】
【００３６】
前記適応型構造コアの前記コアセルに少なくとも１つのアクチュエータを提供する前記ステップが、前記コアセル内で互いに対角して交差する関係にある一対のアクチュエータを提供するステップを含む、前記モーフィングパネル構造の適応型構造コアの方法。